(57)【要約】【課題】  ディスクの挿入を検知するアーム部材を、別のディスクが誤挿入されそうになった時にその挿入を防止する手段として兼用し、部品点数の削減を図ったディスク誤挿入防止機構及びそれを備えたディスク装置を提供する。【解決手段】  ディスク挿入口６から挿入されるディスクＤの周縁部を当接させながら挿入することにより回動すると共にディスク装置１に挿入されたディスクＤの有無を検知するアーム部材２１に、ディスクの誤挿入防止用の突起部２３を有し、ディスクＤをディスク装置１に収容している時、突起部２３は、アーム部材２１が回動されることによりディスク挿入口６の近傍に配置され、ディスク装置１に収容されているディスクＤと別体のディスクがディスク挿入口６から誤挿入されようとした際に、ディスクＤの有無を検知するアーム部材２１を別体のディスクの誤挿入を遮断する手段として兼用する。【選択図】    図１
2006185552.tif 000002
【特許請求の範囲】
【請求項１】
ディスクを記録再生可能なディスク装置のディスク誤挿入防止機構において、前記ディスク装置のディスク挿入口から挿入される前記ディスクの周縁部を当接させながら挿入することにより回動されると共に前記ディスク装置に挿入された前記ディスクの有無を検知するアーム部材に突起部を有し、前記ディスク挿入口から挿入され前記ディスクを前記ディスク装置に収容している時、前記突起部は、前記アーム部材が回動されることにより前記ディスク挿入口の近傍に配置され、前記ディスク装置に収容されているディスクと別体のディスクが前記ディスク挿入口から誤挿入されようとした際に、前記ディスクの有無を検知するアーム部材を前記別体のディスクの誤挿入を遮断する手段として兼用したことを特徴とするディスク誤挿入防止機構。
【請求項２】
前記ディスクの径を、８センチ又は１２センチなどの径の異なる複数種類のディスクであることを特徴とする請求項１記載のディスク誤挿入防止機構。
【請求項３】
前記ディスク装置に挿入されるディスクの有無を検知するアーム部材を、前記ディスク誤挿入防止機構として兼用したことを特徴とする請求項１又は２記載のディスク誤挿入防止機構を備えたディスク装置。
【請求項４】
ディスク挿入口から挿入してディスクの記録再生をするディスク装置のシャーシに、前記ディスクの収容と連動するラックプレートを備え、前記ディスク装置の所定の位置に前記ディスクを搬送するローラーと、このローラーを回転駆動する駆動手段と、前記ディスクを前記ディスク装置の所定の位置に収容した状態で前記ディスク挿入口の近傍に配置される突起部を有するアーム部材とを備えたディスク装置において、前記ローラーにより所定の位置にディスクを収容する時に、前記ディスクの周縁部を前記突起部に当接されながら回動するアーム部材に、このアーム部材の回動動作により前記ディスク装置に挿入されているディスクの有無を検知させ、前記ディスクを前記ディスク装置に収容する際に連動する前記ラックプレートに係合部を設け、前記ディスク挿入口から挿入された前記ディスクを前記ディスク装置に収容している時に前記アーム部材が回動することにより、前記ディスク挿入口の近傍に前記突起部を配置すると共に前記アーム部材に設けた突起を前記連動されたラックプレートの係合部に係合させ、前記ディスクの有無を検知するアーム部材を、前記ディスク装置に収容されているディスクと別体のディスクが前記ディスク挿入口から誤挿入されようとした際に、前記別体のディスクの誤挿入を遮断する手段として兼用したことを特徴とするディスク誤挿入防止機構を備えたディスク装置。
【発明の詳細な説明】
【技術分野】
【０００１】
本発明は、ＤＶＤなどの記録媒体としてのディスクを記録再生可能なディスク装置のディスク誤挿入防止機構及びそれを備えたディスク装置に関する。
【背景技術】
【０００２】
従来から、ＣＤ−Ｒなどの平板状のディスクを挿入し、音声や映像などのデータの記録や再生を可能とするディスク装置の内蔵されたテレビジョン受像機などの電子機器が用いられている。近年においては、機器の薄型化や部品点数の削減などの為、ディスクをトレイに載置してディスク装置の所定の位置にディスクを搬入するトレイ方式ではなくディスクをディスク装置に直接挿入する、いわゆるスロットイン方式のディスク装置が普及してきている。こうしたスロットイン方式のディスク装置は、一旦ディスク装置内にディスクを挿入すると、ユーザーなどは、後々になってディスクの挿入の有無を確認したい際、ディスクを搬出するイジェクトボタンなどの操作を行わなければ、ディスク装置内にディスクが配置されているのかを確認することができず、その操作がとても煩わしいものであった。また、スロットイン方式のディスク装置においては、ディスク装置内にディスクが配置されているのか否かに拘らずディスクの一部分などが挿入部から常に挿入できることが一般的であることから、ディスクがディスク装置内に配置されている状態にある時に、さらに別のディスクをディスク装置内に誤って挿入しようとすると、ディスク装置内部の部材や、或いは挿入されているディスクに、新たに挿入しようとした別のディスクが接触してディスクの表面に傷が付いてしまうといった課題を有していた。
【０００３】
こうした課題を解決するために、特許文献１には、ディスクを収納した後に新たにディスクの誤挿入を抑えるために、第２誤挿入防止突起をディスクの挿入口に出没させるディスク誤挿入防止装置が開示されている。また、特許文献２には、スロットイン方式のディスク装置として、ディスクの挿入を検知して、異なる径である大小２種類のディスクを判別するディスクプレーヤのディスク検知機構が開示されている。
【０００４】
【特許文献１】特開２００２−２６０３１６号公報
【特許文献２】特開２００３−２２８９０３号公報
【発明の開示】
【発明が解決しようとする課題】
【０００５】
しかし、上記特許文献１においては、第２誤挿入防止突起によりディスクの収納後に新たに別のディスクの誤挿入を抑え、ディスクに傷が付くといった不具合を防止することは可能ではあるものの、第２誤挿入防止突起は、単にディスクの誤挿入を防止する機能を有しているに過ぎない。また、特許文献２については、大小２種類の直径の異なるディスクを検知するディスク検知機構を有するにより判別することはできるが、ディスクの誤挿入を防止する構造については、開示も示唆もされているものではない。
【０００６】
本発明は、このような背景技術の実情を鑑みてなされたものであり、ディスクの挿入されたことを検知するアーム部材を、新たに別のディスクがディスク装置に誤挿入されそうになった時にその挿入を防止する手段として兼用した部品点数の削減を図ったディスク誤挿入防止機構及びそれを備えたディスク装置を提供することを目的とする。
【課題を解決するための手段】
【０００７】
本発明の請求項１のディスク誤挿入防止機構は、ディスクを記録再生可能なディスク装置のディスク誤挿入防止機構において、前記ディスク装置のディスク挿入口から挿入される前記ディスクの周縁部を当接させながら挿入することにより回動されると共に前記ディスク装置に挿入された前記ディスクの有無を検知するアーム部材に突起部を有し、前記ディスク挿入口から挿入され前記ディスクを前記ディスク装置に収容している時、前記突起部は、前記アーム部材が回動されることにより前記ディスク挿入口の近傍に配置され、前記ディスク装置に収容されているディスクと別体のディスクが前記ディスク挿入口から誤挿入されようとした際に、前記ディスクの有無を検知するアーム部材を前記別体のディスクの誤挿入を遮断する手段として兼用したことを特徴とする。
【０００８】
請求項１により、ディスク挿入口からディスク装置にディスクを挿入すると、アーム部材は回動され、この回動動作によりディスクの有無を検知することが可能となり、尚且つ、ディスク装置にディスクを収容した状態にある時に、ディスク挿入口の近傍にアーム部材の突起部を、別体のディスクが誤って挿入されないように配置されるので、ディスクの有無を検知するアーム部材を、ディスクの誤挿入を遮断する手段として兼用することで部品点数の削減を図ることができる。
【０００９】
本発明の請求項２のディスク誤挿入防止機構は、請求項１記載のディスク誤挿入防止機構において、前記ディスクの径を、８センチ又は１２センチなどの径の異なる複数種類のディスクであることを特徴とする。
【００１０】
請求項２により、径の異なるディスクの記録や再生が可能となるので実用性に優れると共に、ディスク装置にディスクを収容した状態にある時に、収容されたディスクと別体のディスクを挿入口から挿入されることをアーム部材で遮ることができる。
【００１１】
本発明の請求項３のディスク誤挿入防止機構を備えたディスク装置は、請求項１又は２記載において、前記ディスク装置に挿入されるディスクの有無を検知するアーム部材を、前記ディスク誤挿入防止機構として兼用したことを特徴とする。
【００１２】
請求項３により、ディスク挿入口からディスク装置にディスクを挿入すると、アーム部材は回動され、この回動動作によりディスクの有無を検知することが可能となり、尚且つ、ディスク装置にディスクを収容した状態にある時に、ディスク挿入口の近傍にアーム部材の突起部を、別体のディスクが誤って挿入されないように配置されるので、ディスクの有無を検知するアーム部材を、ディスクの誤挿入を遮断する手段として兼用した部品点数の削減を図ったディスク装置を得ることができる。
【００１３】
本発明の請求項４のディスク誤挿入防止機構を備えたディスク装置は、ディスク挿入口から挿入してディスクの記録再生をするディスク装置のシャーシに、前記ディスクの収容と連動するラックプレートを備え、前記ディスク装置の所定の位置に前記ディスクを搬送するローラーと、このローラーを回転駆動する駆動手段と、前記ディスクを前記ディスク装置の所定の位置に収容した状態で前記ディスク挿入口の近傍に配置される突起部を有するアーム部材とを備えたディスク装置において、前記ローラーにより所定の位置にディスクを収容する時に、前記ディスクの周縁部を前記突起部に当接されながら回動するアーム部材に、このアーム部材の回動動作により前記ディスク装置に挿入されているディスクの有無を検知させ、前記ディスクを前記ディスク装置に収容する際に連動する前記ラックプレートに係合部を設け、前記ディスク挿入口から挿入された前記ディスクを前記ディスク装置に収容している時に前記アーム部材が回動することにより、前記ディスク挿入口の近傍に前記突起部を配置すると共に前記アーム部材に設けた突起を前記連動されたラックプレートの係合部に係合させ、前記ディスクの有無を検知するアーム部材を、前記ディスク装置に収容されているディスクと別体のディスクが前記ディスク挿入口から誤挿入されようとした際に、前記別体のディスクの誤挿入を遮断する手段として兼用したことを特徴とする。
【００１４】
請求項４により、ディスク挿入口からディスクを挿入しようとすると、ディスクの周縁部は突起部に当接されながらアーム部材を回動するので、こうしたアーム部材の回動動作により、ディスク装置に挿入されているディスクの有無を検知させることが可能となると共に、ディスク装置にディスクを収容する際に、ディスク挿入口に挿入されているディスクを、駆動手段がローラーを駆動し所定の位置に搬送して収容する。この場合、所定の位置にディスクが収容されるのに連動して作動されるラックプレートの係合部に、回動されたアーム部材の突起を係合し、ディスク挿入口の近傍にアーム部材の突起部を保持させ、別体のディスクが誤ってディスク挿入口からディスク装置に挿入されないように配置する。従って、ディスク装置にディスクを収容した状態にある時に、ディスク挿入口の近傍にアーム部材の突起部を、別体のディスクが誤って挿入されないように保持し、ディスクの有無を検知するアーム部材を、ディスクの誤挿入を遮断する手段として兼用することが可能となる。
【発明の効果】
【００１５】
本発明の請求項１のディスク誤挿入防止機構によれば、ディスクを記録再生可能なディスク装置のディスク誤挿入防止機構において、前記ディスク装置のディスク挿入口から挿入される前記ディスクの周縁部を当接させながら挿入することにより回動されると共に前記ディスク装置に挿入された前記ディスクの有無を検知するアーム部材に突起部を有し、前記ディスク挿入口から挿入され前記ディスクを前記ディスク装置に収容している時、前記突起部は、前記アーム部材が回動されることにより前記ディスク挿入口の近傍に配置され、前記ディスク装置に収容されているディスクと別体のディスクが前記ディスク挿入口から誤挿入されようとした際に、前記ディスクの有無を検知するアーム部材を前記別体のディスクの誤挿入を遮断する手段として兼用したものであり、部品点数の削減を行うことで低コスト化を図ることができる。
【００１６】
本発明の請求項２のディスク誤挿入防止機構によれば、請求項１記載のディスク誤挿入防止機構において、前記ディスクの径を、８センチ又は１２センチなどの径の異なる複数種類のディスクとしたものであり、径の異なるディスクの記録や再生が可能となるので実用性に優れ、且つ、部品点数を少なくしコストの低減を図ることができる。
【００１７】
本発明の請求項３のディスク誤挿入防止機構を備えたディスク装置によれば、請求項１又は２の記載において、前記ディスク装置に挿入されるディスクの有無を検知するアーム部材を、前記ディスク誤挿入防止機構として兼用したものであり、部品点数を抑えた安価なディスク装置を提供することができる。
【００１８】
本発明の請求項４のディスク誤挿入防止機構を備えたディスク装置によれば、ディスク挿入口から挿入してディスクの記録再生をするディスク装置のシャーシに、前記ディスクの収容と連動するラックプレートを備え、前記ディスク装置の所定の位置に前記ディスクを搬送するローラーと、このローラーを回転駆動する駆動手段と、前記ディスクを前記ディスク装置の所定の位置に収容した状態で前記ディスク挿入口の近傍に配置される突起部を有するアーム部材とを備えたディスク装置において、前記ローラーにより所定の位置にディスクを収容する時に、前記ディスクの周縁部を前記突起部に当接されながら回動するアーム部材に、このアーム部材の回動動作により前記ディスク装置に挿入されているディスクの有無を検知させ、前記ディスクを前記ディスク装置に収容する際に連動する前記ラックプレートに係合部を設け、前記ディスク挿入口から挿入された前記ディスクを前記ディスク装置に収容している時に前記アーム部材が回動することにより、前記ディスク挿入口の近傍に前記突起部を配置すると共に前記アーム部材に設けた突起を前記連動されたラックプレートの係合部に係合させ、前記ディスクの有無を検知するアーム部材を、前記ディスク装置に収容されているディスクと別体のディスクが前記ディスク挿入口から誤挿入されようとした際に、前記別体のディスクの誤挿入を遮断する手段として兼用したものである。これにより、ディスクの有無を検知するアーム部材を、ディスクの誤挿入を遮断する手段として兼用することが可能となるので、部品点数の削減を図り価格を低く抑えた安価なディスク装置を提供することができる。
【発明を実施するための最良の形態】
【００１９】
以下、本発明を実施するための最良の形態としての実施例を図１〜図１０に基づき以下に説明する。もちろん、本発明は、その発明の趣旨に反しない範囲で、実施例において説明した以外の構成のものに対しても容易に適用可能なことは説明を要するまでもない。
【００２０】
図１は本実施例におけるディスク装置を上方から視た状態を示す平面透視図、図２はディスク装置を上方から視た状態を示す概略説明図、図３はディスク装置を正面から視た状態を示す概略断面図、図４はディスク装置を側面から視た状態の断面を示す概略説明図である。
【００２１】
これらの図に示すスロットイン方式のディスク装置１は、８センチと１２センチの直径の異なるサイズのディスクＤを記録再生することが可能であり、ディスク装置１のシャーシ２には、前後に進退可能に組み付けられたラックプレート３を備え、ラックプレート３とシャーシ２に形成された孔部４にローラー５の端部が挿入され回動自在にシャーシ２に軸支されている。
【００２２】
シャーシ２に軸支されているディスクＤを搬送するローラー５の一方の端部には、ギア１０Ａが固定されていて、このギア１０Ａを含む回動自在に設けられた複数のギア群１０は駆動力を伝達可能に歯合されており、駆動手段たるモータ１１の駆動力により、ラックプレート３に形成したラックギア１２が、モータ１１の駆動力を伝達する複数のギア群１０の内の一つと歯合されていることで、モータ１１の駆動によりラックプレート３が前後に移動するようになっている。
【００２３】
２１は、ディスク装置１の幅方向に並んで配置されると共に、ディスク装置１の前部に配置されたシャーシ２に設けられた一対の回動自在なアーム部材であり、これらアーム部材２１には、円弧状のギア部２２と、ディスク装置１に既にディスクＤが収容されているか否かを検知する機能を備え、アーム部材２１のそれぞれに突起部２３が一体に設けられており、また、アーム部材２１の一方にはアーム突起２４を一体に設け、シャーシ２にスライド自在に取り付けたリンクアーム２５の両側に形成したラック部２５Ａ，２５Ｂはギア部２２と歯合され、ディスク装置１内にディスクＤを挿入する際、ディスクＤの周縁部が突起部２３を押圧し、シャーシ２に形成された円弧状の案内溝２６に嵌合された突起部２３が案内溝２６に沿って摺動されながら移動することと連動して、アーム部材２１は回動される。この場合、リンクアーム２５がその長手方向に移動されることにより、リンクアーム２５の突状のリブ２８がシャーシ２に固定されているレバー式のスイッチ３０を押圧操作することにより、モータ１１が駆動されると複数のギア群１０を介してローラー５を回転し、図６に示すローラー５に接触されている挿入途中のディスクＤをディスク装置１内の所定の位置に移動する（図７の状態）。なお、前述したディスクＤがディスク装置１に収容されているか否かを検知する機能としては、機構的な検知手段としてアーム部材２１の突起部２３が、ディスクＤの外周縁に押されて動く場合をディスク無しの未挿入状態とし、一方、ディスクＤの外周縁に押されて動かない場合をディスク有りとする挿入状態とするもので、又、こうした検知手段の変形例として電気的な検知として、ラックプレート３がエンドスイッチ４０を押していない状態をディスク無しとし、又ラックプレート３がディスク装置１の後方へと移動してエンドスイッチ４０を押している状態をディスク有りとして検知することも可能である。
【００２４】
また、ラックプレート３には長孔状のカム溝３１とスライド溝３２が形成されており、前者であるカム溝３１には、一方の端部がシャーシ２に回動自在に枢支されたＬ字型のアーム３３の凸部３４が、カム溝３１に沿って摺動自在に嵌合されている。また、スライド溝３２には、ディスク装置１の幅方向にスライド可能なロッドトラバース３５がシャーシ２に取り付けられており、図７に示すようにディスクＤの周縁部の後部がアーム３３を後方に押圧して回動することにより、連動してラックプレート３が後退される。この場合、ラックプレート３が後退するのに連動して、ロッドトラバース３５の一方の端部に設けられた突起３６が平行部３２Ａと傾斜部３２Ｂとからなるスライド溝３２に嵌合されているので、突起３６は、スライド溝３２に沿って移動することにより、ロッドトラバース３５はディスク装置１の幅方向（図９に示す右側）にスライド移動され、アーム部材２１から延出されたアーム突起２４が、ラックプレート３に形成した係合部３７に係止され、アーム部材２１が回動することのないように固定し、ディスクＤの収容状態にあるディスク装置１に、ディスク装置１の前部のディスク挿入口６から別のディスクが挿入されようとしても、アーム部材２１の突起部２３がディスク装置１のディスク挿入口６近傍に保持された状態で配置されるので、ディスクＤの誤挿入を突起部２３で遮断することが可能となっている。
【００２５】
４０は、モータ１１の回転を停止するレバー式のエンドスイッチであり、アーム３３が回動されラックプレート３が後方に移動すると、このラックプレート３の後部がエンドスイッチ４０を押圧することでモータ１１の回転を停止する。
【００２６】
次に、ディスク装置の作動手順について、図２〜図１０に基づき以下に説明する。図５はディスクを挿入しようとしている状態のディスク装置を示す概略説明図、図６はディスクの挿入途中の状態のディスク装置を示す概略説明図、図７はディスクの挿入によりアームを回動している状態のディスク装置を上方から視た概略説明図、図８はディスクの挿入によりアームを回動している状態のディスク装置を側方から視た概略説明図、図９はディスク装置の所定の位置にディスクの収容が完了しアーム部材を保持した状態を示すディスク装置を上方から視た概略説明図、図１０はディスク装置の所定の位置にディスクの収容が完了しアーム部材を保持した状態を示すディスク装置を側方から視た概略説明図である。図２〜図４に示すディスク装置１へのディスクＤの未挿入状態から、シャーシ２の前部のディスク挿入口６からディスクＤを挿入しようと差し込むと、図５に示すように、挿入されているディスクＤの後部がアーム部材２１の突起部２３を押圧し、これら突起部２３は、図６に示すように、ディスク装置１の内側から外側に向かって案内溝２６に沿って移動する。この場合、突起部２３を構成するアーム部材２１は回動される。そして、この回動動作に連動してリンクアーム２５はその長手方向にスライド移動され、リンクアーム２５の一部がスイッチ３０に接触して押圧操作することでモータ１１を駆動する。そして、モータの駆動に伴いギア群１０などを介してローラー５を回転駆動させ、挿入途中であるローラー５に接触されているディスクＤをディスク装置１の所定の位置に搬送して配置する（図７の状態）。所定の位置にディスクＤが搬送されると、ディスクＤの周縁部の後部がアーム３３の一方の端部を押圧し、この一方の端部の反対に位置する他方の端部を支点として梃子の作用によって、アーム３３は回動（図７に示す半時計方向）され、アーム３３の凸部３４が、カム溝３１に沿って後方に移動することに伴って、進退可能なラックプレート３を後方に移動し、エンドスイッチ４０を押圧することでモータ１１の回転を停止すると共に、アーム部材２１の突起部２３は、弾性体たるトーションバネ４４の付勢力により案内溝２６に沿って外側から内側に移動される。なお、案内溝２６に沿って外側から内側に移動されるのに伴い、アーム部材２１の一方のアーム突起２４が係合部３７に係止され、図９に示すように、ディスク装置１の前部に一対の突起部２３を保持して、ディスクＤが挿入されているか否かを検知する突起部２３を有するアーム部材２１を兼用し、ディスク装置１内へのディスクＤの誤挿入を確実に遮断することができる。
【００２７】
このように、本発明の目的はディスクＤの挿入されたことを検知するアーム部材２１を、新たに別のディスクがディスク装置１のディスク挿入口６に誤挿入されそうになった時にその挿入を防止する手段として兼用し部品点数の削減を図ったものであり、ディスク装置１のディスク挿入口６から挿入されるディスクＤの周縁部を当接させながら挿入することにより、回動されると共にディスク装置１に挿入されたディスクＤの有無を検知するアーム部材２１に、ディスクＤと別体のディスク誤挿入防止用の突起部２３を有し、ディスク挿入口６から挿入されディスクＤをディスク装置１に収容している時、突起部２３は、アーム部材２１が回動されることによりディスク挿入口６の近傍に配置され、ディスク装置１に収容されているディスクＤと別体のディスクがディスク挿入口６から誤挿入されようとした際に、ディスクＤの有無を検知するアーム部材２１を別体のディスクの誤挿入を遮断する手段として兼用したものである。これにより、ディスク挿入口６からディスク装置１にディスクを挿入すると、アーム部材２１は回動され、この回動動作によりディスクＤの有無を検知することが可能となり、尚且つ、ディスク装置１にディスクＤを収容した状態にある時に、ディスク挿入口６の近傍にアーム部材２１の突起部２３を、別体のディスクが誤って挿入されないように配置するので、ディスクＤの有無を検知するアーム部材２１の一方を、ディスクの誤挿入を遮断する手段として兼用することで部品点数の削減を図ることができる。
【００２８】
さらに、ディスクＤの径を、規格化された８センチ又は１２センチなどの径の異なる複数種類のディスクの記録および再生、或いはこれらの何れか一方を可能とすれば、汎用性を有することで実用性が向上する。また、ディスク装置１にディスクＤを収容した状態にある時に、ユーザーなどが、ディスク装置１に収容されたディスクＤと別体であるディスクを、ディスク挿入口６から挿入することをアーム部材２１で遮ることができ、ディスクの誤挿入によりディスク装置１に収容されたディスクＤに別体のディスクが接触してしまい、傷の付き易いディスクＤが傷ついてしまうことを防止できる。
【００２９】
しかも、ディスク装置１に挿入されるディスクＤの有無を検知するアーム部材２１を、ディスク誤挿入防止機構として兼用したことにより、ディスク挿入口６からディスク装置１にディスクＤを挿入すると、アーム部材２１は回動され、この回動動作によりディスクＤの有無を検知することが可能となり、尚且つ、ディスク装置１にディスクＤを収容した状態にある時に、ディスク挿入口６の近傍にアーム部材２１の突起部２３を、別体のディスクが誤って挿入されないように保持した状態で配置されるので、ディスクＤの有無を検知するアーム部材２１を、ディスクの誤挿入を遮断する手段として兼用し部品点数の削減を図ったディスク装置１を得ることができる。
【００３０】
以上のように、本発明の一例のディスク装置１によれば、ローラー５により所定の位置にディスクＤを搬送し収容する時に、ディスクＤの周縁部を突起部２３に当接されながら回動するアーム部材２１の回動動作により、ディスク装置１に挿入されているディスクＤの有無を検知させ、ディスクＤをディスク装置１に収容する際に連動するラックプレート３に係合部３７を設け、ディスク挿入口６から挿入されたディスクＤをディスク装置１に収容している時にアーム部材２１が回動することにより、ディスク挿入口６の近傍に突起部２３を配置すると共にアーム部材２１に設けたアーム突起２４などの突起を連動されたラックプレート３の係合部３７に係合させ、ディスクＤの有無を検知するアーム部材２１を、ディスク装置１に収容されているディスクＤと別体のディスクがディスク挿入口６から誤挿入されようとした際に、別体のディスクの誤挿入を遮断する手段として兼用したものである。よって、ディスク挿入口６からディスクＤを挿入しようとすると、ディスクＤの周縁部は突起部２３に当接されながらアーム部材２１を回動するので、こうしたアーム部材２１の回動動作により、ディスク装置１に挿入され既に収容されているディスクＤの有無を検知させることが可能となると共に、ディスク装置１にディスクＤを収容する際に、ディスク挿入口６に挿入されている途中のディスクＤを、駆動手段たるモータ１１がローラー５を駆動し所定の位置に搬送して収容する。この場合、所定の位置にディスクＤが収容されるのに連動して作動されるラックプレート３の係合部３７に、回動されたアーム部材２１の突起たるアーム突起２４を係合し、ディスク挿入口６の近傍にアーム部材２１の突起部２３を保持させ、別体のディスクが誤ってディスク挿入口６からディスク装置１に挿入されないように配置する。つまり、ディスク装置１にディスクＤを収容した状態にある時に、ディスク挿入口６の近傍にアーム部材２１の突起部２３を、別体のディスクが誤って挿入されないように保持し、ディスクＤの有無を検知するアーム部材２１を、別体のディスクの誤挿入を遮断する手段として兼用することが可能となり、部品点数の削減を図り、故障などの不具合を軽減すると共に価格を低く抑えた安価なディスク装置１を提供することができる。
【００３１】
以上、本発明の実施例について詳述したが、本発明は、前記実施例に限定されるものではなく、本発明の要旨の範囲内で種々の変形実施が可能である。例えば、ディスク装置１に収容されるディスクＤの径は、８センチ、１２センチとしているが、特にこれに限定するものではなく、これらと異なる径であっても適応可能である。また、本実施例においては、ラックプレート３の係合部３７にアーム部材２１のアーム突起２４を係合させ、突起部２３をディスク装置１の前部のディスク挿入口６に保持しているが、特にこれに限定するものではなく、突起部２３を保持できるのであれば、変形例として、アーム突起２４に代えてロッドトラバース３５に突状のリブを形成し、この突状のリブに係合する凸部若しくは凹部をリンクアーム２５に形成し、これらと突状のリブとを係合させることで、突起部２３を保持する構造としてもよい。
【図面の簡単な説明】
【００３２】
【図１】本実施例におけるディスク装置を上方から視た状態を示す平面透視図である。
【図２】同上、ディスク装置を上方から視た状態を示す概略説明図である。
【図３】同上、ディスク装置を正面から視た状態を示す概略断面図である。
【図４】同上、ディスク装置を側面から視た状態の断面を示す概略説明図である。
【図５】同上、ディスクを挿入しようとしている状態のディスク装置を示す概略説明図である。
【図６】同上、ディスクの挿入途中の状態のディスク装置を示す概略説明図である。
【図７】同上、ディスクの挿入によりアームを回動している状態のディスク装置を上方から視た概略説明図である。
【図８】同上、ディスクの挿入によりアームを回動している状態のディスク装置を側方から視た概略説明図である。
【図９】同上、ディスク装置の所定の位置にディスクの収容が完了しアーム部材を保持した状態を示すディスク装置を上方から視た概略説明図である。
【図１０】同上、ディスク装置の所定の位置にディスクの収容が完了しアーム部材を保持した状態を示すディスク装置を側方から視た概略説明図である。
【符号の説明】
【００３３】
１  ディスク装置
２  シャーシ
３  ラックプレート
５  ローラー
６  ディスク挿入口
１１  モータ（駆動手段）
２１  アーム部材
２３  突起部
２４  アーム突起（突起）
３７  係合部
Ｄ  ディスク
【図１】
2006185552.tif 000003
【図２】
2006185552.tif 000004
【図３】
2006185552.tif 000005
【図４】
2006185552.tif 000006
【図５】
2006185552.tif 000007
【図６】
2006185552.tif 000008
【図７】
2006185552.tif 000009
【図８】
2006185552.tif 000010
【図９】
2006185552.tif 000011
【図１０】
2006185552.tif 000012